(57)【要約】【課題】部品点数を増加させることなく、放熱効果を改善させながら、配線用空間を確保できるＬＥＤ発光装置および照明器具を提供する。【解決手段】ＬＥＤ３１が配設されたＬＥＤ基板３２を取り付ける取付板３３に、ＬＥＤ基板３２を取り付ける面と反対側に配線用空間３３３を設けた。このため、ＬＥＤ基板３２の長手方向一方の端部に配設された第１の配線１３および他方の端部に配設された第２の配線１４を、傷つけることなく収容できる。これにより、部品点数を増加させることなく、配線用空間３３３を確保できる。また、ＬＥＤ基板３２は取付板３３に接触して支持されるので、ＬＥＤ３１が発した熱はＬＥＤ基板３２から取付板３３に伝達され、放熱効果が向上する。【選択図】図２
2013251188.tif 000002
【特許請求の範囲】
【請求項１】
ＬＥＤと、
前記ＬＥＤが配設されたＬＥＤ基板と、
前記ＬＥＤ基板の長手方向一方の端部に配設される第１の配線と、他方の端部に配設される第２の配線と、
前記ＬＥＤ基板を取り付ける取付板と、を有し、
前記取付板が、前記ＬＥＤ基板を支持する面と反対側に前記第１の配線および前記第２の配線を収容可能な配線用空間を有するＬＥＤ発光装置。
【請求項２】
請求項１に記載のＬＥＤ発光装置を用いた照明器具。
【発明の詳細な説明】
【技術分野】
【０００１】
本発明は、ＬＥＤ基板にＬＥＤを実装したＬＥＤ発光装置および照明器具に関するものである。
【背景技術】
【０００２】
従来より、ＬＥＤ基板にＬＥＤを実装したＬＥＤ発光装置が知られている（例えば、特許文献１参照）。
図５に示すように、特許文献１に記載の光源体１００（以後、「ＬＥＤ発光装置１００」という。）は、発光素子であるＬＥＤ１０１と、ＬＥＤ１０１が表面（図５において上面）に多数配列された細長形状の基板１０２を有する。基板１０２は、表面側が開口したフレーム１０３の内部に、放熱部材１０４を介して支持されている。フレーム１０３における放熱部材１０４の横には、フレーム１０３と基板１０２との間に配線スペース１０６が設けられており、配線スペース１０６には、電力を供給する一対の配線１０５、１０５が収容されている。
【先行技術文献】
【特許文献】
【０００３】
【特許文献１】特開２００７−２７３２１３号公報（第４図）
【発明の概要】
【発明が解決しようとする課題】
【０００４】
しかしながら、前述したような特許文献１に記載のＬＥＤ発光装置１００においては、配線スペース１０６を形成するために、別部材として放熱部材１０４を設けており、部品点数が増加する。また、ＬＥＤ１０１が発した熱を、放熱部材１０４を介してフレーム１０３に伝達するため、放熱効果が低下するという問題があった。
【０００５】
本発明は、従来の問題を解決するためになされたもので、部品点数を増加させることなく、放熱効果を改善させながら、配線用空間を確保できるＬＥＤ発光装置および照明器具を提供することを目的とする。
【課題を解決するための手段】
【０００６】
本発明のＬＥＤ発光装置は、ＬＥＤと、前記ＬＥＤが配設されたＬＥＤ基板と、前記ＬＥＤ基板の長手方向一方の端部に配設される第１の配線と、他方の端部に配設される第２の配線と、前記ＬＥＤ基板を取り付ける取付板と、を有し、前記取付板が、前記ＬＥＤ基板を支持する面と反対側に前記第１の配線および前記第２の配線を収容可能な配線用空間を有するものである。
【０００７】
また、本発明の照明器具は、前述したＬＥＤ発光装置を用いたものである。
【発明の効果】
【０００８】
本発明は、ＬＥＤが配設されたＬＥＤ基板を取り付ける取付板において、ＬＥＤ基板を取り付ける面と反対側に配線用空間を設けた。このため、ＬＥＤ基板の長手方向一方の端部に配設された第１の配線および他方の端部に配設された第２の配線を、傷つけることなく収容できる。また、ＬＥＤ基板は、取付板に接触して支持されるので、ＬＥＤが発した熱を取付板に伝達できる。これにより、部品点数を増加させることなく、放熱効果を改善させながら、配線用空間を確保できるという効果を有するＬＥＤ発光装置および照明器具を提供できる。
【図面の簡単な説明】
【０００９】
【図１】本発明に係る実施形態の照明器具の分解斜視図
【図２】本発明に係る実施形態の照明器具の断面図
【図３】（Ａ）は取付板を下方から見た底面図であり、（Ｂ）は（Ａ）中Ｂ方向から見た端面図
【図４】（Ａ）は取付板とＬＥＤ基板の分解斜視図であり、（Ｂ）は取付板にＬＥＤ基板を取り付けた状態の斜視図
【図５】従来のＬＥＤ発光装置の断面図
【発明を実施するための形態】
【００１０】
以下、本発明に係る実施形態のＬＥＤ発光装置および照明器具について、図面を用いて説明する。
図１に示すように、本発明に係る実施形態の照明器具１０は、例えば被取付部である天井面１１（図２参照）等に取り付けて、下方を照明するのに用いることができる。
図１および図２に示すように、照明器具１０は、天井面１１に取り付けられる器具本体２０と、器具本体２０に取り付けられるＬＥＤ発光装置３０とを有する。
【００１１】
器具本体２０は、Ｈ形の断面形状を有する直線部材であり、一対のフランジ２１、２１と、両フランジ２１を水平方向に連結するウェブ２２を有する。ウェブ２２の上面には、商用電源（図示省略）に接続され、ＬＥＤ発光装置３０に電力を供給する電源部１２が収容されている。
なお、図示はしないが、ウェブ２２には貫通穴が設けられており、電源部１２と後述するＬＥＤ基板３２とを接続する第１の配線１３（図４（Ａ）、（Ｂ）参照）および第２の配線１４を、配線可能としている。
【００１２】
ＬＥＤ発光装置３０は、複数のＬＥＤ３１を直線状に実装したＬＥＤ基板３２と、ＬＥＤ基板３２を器具本体２０に取り付けるための取付板３３と、ＬＥＤ基板３２を覆うカバー３４とを有する。
【００１３】
図２および図４（Ａ）、（Ｂ）に示すように、ＬＥＤ基板３２は矩形板状部材であり、下面３２１に複数のＬＥＤ３１が直線状に実装される。なお、図４（Ａ）、（Ｂ）においては、１枚のＬＥＤ基板３２について図示しているが、ＬＥＤ基板３２の数は任意であり、１枚あるいは２枚以上でも可能である（図１参照）。
【００１４】
ＬＥＤ基板３２には、長手方向両端部付近において、幅方向一方の端部（図２および図４（Ａ）、（Ｂ）において右上端部）には係止凹部３２２が設けられており、他方の端部（図２および図４（Ａ）、（Ｂ）において左下端部）には係止凸部３２３が設けられている。
また、ＬＥＤ基板３２の下面３２１における長手方向一方の端部（図４（Ａ）、（Ｂ）において左端部）には、電源部１２からの第１の配線１３が接続される第１接続部３２４が設けられている。また、長手方向他方の端部（図４（Ａ）、（Ｂ）において右端部）には、電源部１２からの第２の配線１４が接続される第２接続部３２５が設けられている。
【００１５】
図３（Ａ）、（Ｂ）および図４（Ａ）、（Ｂ）に示すように、取付板３３は、器具本体２０のウェブ２２の下面に取り付けられる上板３３１を有し（図２参照）、上板３３１の幅方向中央部には、下方へ突出し、内部空間（配線用空間）３３３を有する凸部３３２が設けられている。取付板３３は、金属板を折曲げ加工して形成することができる。
【００１６】
上板３３１の幅は、器具本体２０のウェブ２２の幅よりも小さく、両フランジ２１、２１間に収容される。凸部３３２の幅は、ＬＥＤ基板３２の幅よりも小さめとなっている。凸部３３２の長手方向両端には、配線用の貫通穴３３８が設けられている。
上板３３１の幅方向両端には、下方に向かって幅方向中心側へ傾斜して折曲げ形成された立板３３４を有し、立板３３４の先端（下端）には、幅方向中心側へ折曲げ形成された係止部３３５を有する。
【００１７】
上板３３１の長手方向両端付近には、凸部３３２を挟んで幅方向一方の側（図３（Ａ）において上側）に第１係止片３３６が設けられ、他方の側（図３（Ａ）において下側）に第２係止片３３７が設けられている。二組の第１係止片３３６および第２係止片３３７によって、ＬＥＤ基板３２を係止する。
【００１８】
第１係止片３３６はＬＥＤ基板３２の係止凹部３２２に嵌合する幅を有しており、先端（下端）は中心側において上向きに折り返されて係止爪３３６Ａが設けられている。
また、第２係止片３３７は、台形状に下方に突出して挿入空間３３７Ａが設けられており、ＬＥＤ基板３２の係止凸部３２３が挿入可能となっている。
第１係止片３３６および第２係止片３３７は、取付板３３の上板３３１にスリットを設けて切り起しにより形成することができるが、第１係止片３３６および第２係止片３３７を別部材として上板３３１に取り付けることもできる。
【００１９】
ＬＥＤ基板３２を取付板３３に取り付ける際には、まず、図４（Ａ）に示すように、ＬＥＤ基板３２の係止凸部３２３を取付板３３の第２係止片３３７の挿入空間３３７Ａに挿入する（矢印Ａ参照）。
次いで、第２係止片３３７を中心としてＬＥＤ基板３２を回転させ、取付板３３の第１係止片３３６をＬＥＤ基板３２の係止凹部３２２に嵌合させる。そして、ＬＥＤ基板３２の下面３２１を、第１係止片３３６の係止爪３３６Ａで係止する。このとき、ＬＥＤ基板３２の上面は、凸部３３２の下面に当接する。
【００２０】
これにより、ＬＥＤ基板３２は、上面が取付板３３の凸部３３２に当接し、下面３２１が第１係止片３３６の係止爪３３６Ａおよび第２係止片３３７により係止されるので、確実に取付板３３に取り付けられる。
また、ＬＥＤ基板３２は金属製の取付板３３の凸部３３２に面接触するので、ＬＥＤ基板３２およびＬＥＤ３１が発した熱を、取付板３３を介して器具本体２０に伝達し、良好な放熱効果が得られる。
【００２１】
その後、第１接続部３２４および第２接続部３２５に接続されている第１の配線１３および第２の配線１４を、貫通穴３３８に通して取付板３３の裏側（図４（Ａ）、（Ｂ）において上側）に配線する。
あるいは、取付板３３の貫通穴３３８に第１の配線１３および第２の配線１４を通して取付板３３の下方に配線し、第１接続部３２４および第２接続部３２５に接続することもできる。
このとき、例えば図４（Ｂ）に示すように、第２の配線１４を第１の配線１３から分離して、取付板３３の長手方向他端側（図４（Ｂ）において右端側）に配線する場合には、凸部３３２の内部空間３３３の内部に配線する（図４（Ｂ）において破線で表示）。
【００２２】
図２に示すように、ＬＥＤ基板３２に実装された複数のＬＥＤ３１の前方（下方）には、透光性を有するカバー３４が取り付けられる。
カバー３４は、ＬＥＤ３１の光を拡散して所定の方向へ配光する例えばＵ字形状の透光部３４１と、透光部３４１の両端に設けられている支持壁３４２を有する。
透光部３４１は、Ｕ字形状に設けられているので、ＬＥＤ３１の前方に広い空間３６を有し、ＬＥＤ３１が発する熱により高熱になるのを回避できる。
また、支持壁３４２は、段差３４３を介して、透光部３４１の外側にクランク状に設けられている。
【００２３】
カバー３４は、支持壁３４２を取付板３３の上板３３１と係止部３３５との間に挿入し、段差３４３を係止部３３５に引っ掛けて取り付ける。このとき、取付板３３の係止部３３５が、段差３４３を押えるように付勢されていると、カバー３４はがたつくことなく取り付けられる。
【００２４】
従って、カバー３４の段差３４３と取付板３３の上板３３１との間には、隙間３５が形成される。
なお、カバー３４の段差３４３と、取付板３３の第１係止片３３６および第２係止片３３７とは、水平方向および上下方向の少なくとも一方において、互いに干渉しない位置関係にある。
また、カバー３４を取り外す際には、取付板３３の立板３３４および係止部３３５を外側に開くことにより、容易に取り外すことができる。
【００２５】
以上、説明した本発明に係る実施形態のＬＥＤ発光装置３０によれば、ＬＥＤ３１が配設されたＬＥＤ基板３２を取り付ける取付板３３に、ＬＥＤ基板３２を取り付ける面と反対側に配線用の内部空間３３３を設けた。
従って、ＬＥＤ基板３２の長手方向一方の端部に配設された第１の配線１３および他方の端部に配設された第２の配線１４は、取付板３３の裏面側の内部空間３３３に収容される。このため、部品点数を増加させることなく、第１の配線１３および第２の配線１４を傷つけることなく配線できる。
また、ＬＥＤ基板３２は取付板３３に接触して支持されるので、ＬＥＤ３１が発した熱はＬＥＤ基板３２から取付板３３に伝達されるので、放熱効果が向上する。
【００２６】
また、本発明に係る実施形態の照明器具１０によれば、上述したＬＥＤ発光装置３０を用いたので、部品点数を増加させることなく、第１の配線１３および第２の配線１４を傷つけることなく配線できる。
【００２７】
なお、本発明のＬＥＤ発光装置および照明器具は、前述した実施形態に限定されるものでなく、適宜な変形、改良等が可能である。
【符号の説明】
【００２８】
１０  照明器具
１３  第１の配線
１４  第２の配線
３０  ＬＥＤ発光装置
３１  ＬＥＤ
３２  ＬＥＤ基板
３３  取付板
３３３  内部空間（配線用空間）
【図１】
2013251188.tif 000003
【図２】
2013251188.tif 000004
【図３】
2013251188.tif 000005
【図４】
2013251188.tif 000006
【図５】
2013251188.tif 000007